(57)【要約】【課題】内装材本体部の乗物室外側に配された電子機器を赤外線リモコンによって乗物室内側から確実に操作する。【解決手段】板状をなすトリム本体部２１と、赤外線を受光する赤外線受光部６１Ｂを備えると共にトリム本体部２１の車室外側に配されるプロジェクタ６１と、トリム本体部２１に設けられ、トリム本体部２１の車室外側とトリム本体部２１の車室内側との間で光を透過する貫通孔３１Ａと、トリム本体部２１の車室外側に配された長手状の光ファイバー２３であって、貫通孔３１Ａと対向配置される長手方向における一方の端面２３Ａと、赤外線受光部６１Ｂと対向配置される長手方向における他方の端面２３Ｂと、を有し、一方の端面２３Ａから入射した赤外線を内部で導光し、他方の端面２３Ｂから赤外線受光部６１Ｂに向けて出射する光ファイバー２３と、を備えることに特徴を有する。【選択図】図１
2020082938.tif 000002
【特許請求の範囲】
【請求項１】
板状をなす内装材本体部と、
赤外線を受光する赤外線受光部を備えると共に前記内装材本体部の乗物室外側に配される電子機器と、
前記内装材本体部に設けられ、前記内装材本体部の乗物室外側と前記内装材本体部の乗物室内側との間で光を透過する光透過部と、
前記内装材本体部の乗物室外側に配された長手状の導光部材であって、前記光透過部と対向配置される長手方向における一端部と、前記赤外線受光部と対向配置される長手方向における他端部と、を有し、前記一端部から入射した赤外線を内部で導光し、前記他端部から前記赤外線受光部に向けて出射する導光部材と、を備える乗物用内装材。
【請求項２】
前記内装材本体部に取り付けられたスピーカーグリルを備え、
前記光透過部は、前記スピーカーグリルが有する貫通孔である請求項１に記載の乗物用内装材。
【請求項３】
前記内装材本体部の乗物室外側に配された光源を備え、
前記光透過部は、前記光源の光出射面と対向配置される透明部材である請求項１に記載の乗物用内装材。
【発明の詳細な説明】
【技術分野】
【０００１】
本明細書で開示される技術は、乗物用内装材に関する。
【背景技術】
【０００２】
従来、乗物用内装材として、電子機器を備えるものが知られている（例えば、特許文献１）。特許文献１には、電子機器としてテレビモニタを備える乗物用内装材が記載されている。
【先行技術文献】
【特許文献】
【０００３】
【特許文献１】特許第３４３１６７８号公報
【発明の概要】
【発明が解決しようとする課題】
【０００４】
ところで、上記電子機器を乗物室内側から赤外線リモコンによって操作するためには、電子機器に赤外線を受光するための赤外線受光部を設けることが考えられる。しかしながら、電子機器の設置箇所によっては、赤外線リモコンからの赤外線が乗物用内装材によって遮られ、赤外線受光部に到達しない事態が懸念される。
【０００５】
本明細書で開示される技術は上記のような事情に基づいて完成されたものであって、内装材本体部の乗物室外側に配された電子機器を赤外線リモコンによって乗物室内側から確実に操作することを目的とする。
【課題を解決するための手段】
【０００６】
上記課題を解決するための手段として、本明細書で開示される乗物用内装材は、板状をなす内装材本体部と、赤外線を受光する赤外線受光部を備えると共に前記内装材本体部の乗物室外側に配される電子機器と、前記内装材本体部に設けられ、前記内装材本体部の乗物室外側と前記内装材本体部の乗物室内側との間で光を透過する光透過部と、前記内装材本体部の乗物室外側に配された長手状の導光部材であって、前記光透過部と対向配置される長手方向における一端部と、前記赤外線受光部と対向配置される長手方向における他端部と、を有し、前記一端部から入射した赤外線を内部で導光し、前記他端部から前記赤外線受光部に向けて出射する導光部材と、を備えることに特徴を有する。
【０００７】
乗員が赤外線リモコンから光透過部に向けて赤外線を出射した場合、赤外線リモコンから出射された赤外線は、光透過部を経て、導光部材の一端部から導光部材内部に入射し、導光部材内部で導光された後、他端部から赤外線受光部に向けて出射される。これにより、内装材本体部の乗物室外側に配された電子機器を赤外線リモコンによって乗物室内側から確実に操作することが可能となる。
【０００８】
また、前記内装材本体部に取り付けられたスピーカーグリルを備え、前記光透過部は、前記スピーカーグリルが有する貫通孔であるものとすることができる。スピーカーグリルが有する貫通孔を光透過部とすれば、専用の光透過部を設ける必要がなく好適である。
【０００９】
また、前記内装材本体部の乗物室外側に配された光源を備え、前記光透過部は、前記光源の光出射面と対向配置される透明部材であるものとすることができる。光源から出射された光を透明部材を介して乗物室内に出射させることができる。このような透明部材を光透過部とすれば、専用の光透過部を設ける必要がなく好適である。
【発明の効果】
【００１０】
本発明によれば、内装材本体部の乗物室外側に配された電子機器を赤外線リモコンによって乗物室内側から確実に操作することができる。
【図面の簡単な説明】
【００１１】
【図１】本発明の一実施形態に係るドアトリムを示す正面図
【図２】表示装置を示す図（図１のＩＩ−ＩＩ線で切断した図に対応）
【図３】ドアトリムにおいてスピーカーグリル付近を示す断面図（図１のＩＩＩ−ＩＩＩ線で切断した図に対応）
【図４】ドアトリムにおいてカーテシランプ付近を示す断面図（図１のＩＶ−ＩＶ線で切断した図に対応）
【図５】プロジェクタ及び光ファイバーを示す図
【発明を実施するための形態】
【００１２】
本発明の一実施形態を図１から図５によって説明する。本実施形態では、乗物用内装材として、車両のドアを構成するドアトリム２０を例示する。なお、各図に示した、矢印ＦＲで示す方向は車両前方（車両進行方向）であり、矢印ＲＲで示す方向は車両後方である。また、矢印ＩＮで示す方向は車室内側であり、矢印ＯＵＴで示す方向は車室外側である。また、矢印ＵＰで示す方向は車両上方であり、矢印ＤＷで示す方向は車両下方である。
【００１３】
ドアトリム２０は、板状をなすトリム本体部２１（内装材本体部）と、スピーカーグリル３０と、カーテシランプ４０と、イルミネーションランプ５０と、表示装置６０と、可撓性を有する光ファイバー２３，２４，２５と、を備える。トリム本体部２１は、例えば、植物繊維（例えば、ケナフ繊維）と合成樹脂とを混合した混合材等によって構成されており、遮光性を有している。なお、トリム本体部２１の材質は、上記したものに限定されず適宜変更可能である。
【００１４】
表示装置６０は、リアプロジェクションタイプの表示装置であり、図２に示すように、プロジェクタ６１と、反射ミラー６２と、ハウジング６３と、透過型スクリーン６４と、を備える。プロジェクタ６１は、図２に示すように、トリム本体部２１の車室外側（乗物室外側）に配されている。プロジェクタ６１は、図示しない車載カメラで撮影した映像データや、予め記憶された映像データに基づいて映像光を生成し、その映像光を反射ミラー６２に向けて投射することが可能となっている。プロジェクタ６１としては、液晶プロジェクタや、ＤＭＤ（Digital Micro-mirror Device）を利用したプロジェクタ等を例示することができる。
【００１５】
反射ミラー６２は、トリム本体部２１の車室外側に配されており、プロジェクタ６１の光出射部６１Ａから出射された映像光（図２の矢線Ｌ１参照）を透過型スクリーン６４に向けて反射する構成となっている。反射ミラー６２は、ハウジング６３内に収容されており、ハウジング６３は、例えば、トリム本体部２１に対して取り付けられている。透過型スクリーン６４は、トリム本体部２１の上部且つ車両前端部に設けられた開口２２を覆う形で配され、車室外側から投射された映像光を車室内側に透過することで映像を表示する構成となっている。透過型スクリーン６４は、例えば、透光性を有する樹脂基板に光拡散層や着色層等の各種機能層を積層するようにして形成されている。
【００１６】
プロジェクタ６１（電子機器）は、図２に示すように、赤外線を受光する赤外線受光部６１Ｂを備える。なお、赤外線受光部６１Ｂは、例えば、赤外線フォトダイオード等の受光素子（図示せず）を備え、このような受光素子は、例えば、プロジェクタ６１が備える制御基板（図示せず）に実装されている。このため、乗員は、図示しない赤外線リモコンを用いてプロジェクタ６１を操作することが可能となっている。
【００１７】
しかしながら、赤外線受光部６１Ｂは、トリム本体部２１の車室外側に配されているため、車室内側にある赤外線リモコンから出射された赤外線は、トリム本体部２１によって遮光されてしまう。そこで、本実施形態では、トリム本体部２１に設けられた各機器（スピーカーグリル３０、カーテシランプ４０、イルミネーションランプ５０）と、光ファイバー２３，２４，２５とを用いて、赤外線リモコンから出射された赤外線を赤外線受光部６１Ｂまで導光する構成となっている。
【００１８】
スピーカーグリル３０は、図１に示すように、トリム本体部２１の下部且つ車両前端部に設けられ、例えば円形状をなしている。スピーカーグリル３０は、図３に示すように、車載用スピーカー２６を車室内側から覆う形でトリム本体部２１に取り付けられている。スピーカーグリル３０は、複数の微細な貫通孔３１を有している。各貫通孔３１は、スピーカーグリル３０をその板厚方向について貫通する形で形成されている。
【００１９】
光ファイバー２３は、トリム本体部２１の車室外側に配された長手状の導光部材であり、長手方向における一方の端面２３Ａ（一端部）から入射した赤外線を内部で導光し、他方の端面２３Ｂ（他端部、図５参照）から赤外線受光部６１Ｂに向けて出射することが可能となっている。図３に示すように、一方の端面２３Ａは、複数の貫通孔３１のうち、スピーカーグリル３０の上端部に配された貫通孔３１（以下貫通孔３１Ａと呼ぶ）と対向配置されている。赤外線リモコンから出射された赤外線は、貫通孔３１Ａを通じて、一方の端面２３Ａに入射する。つまり、貫通孔３１Ａは、トリム本体部２１に設けられ、トリム本体部２１の車室外側と車室内側（乗物室内側）との間で光を透過する光透過部の一例である。また、図３に示すように、スピーカーグリル３０が備える板状部材３２には、挿通孔３３Ａを有する保持部材３３が取り付けられており、光ファイバー２３の一端部は、挿通孔３３Ａに挿通されることで保持されている。また、図５に示すように、光ファイバー２３の長手方向における他方の端面２３Ｂは、赤外線受光部６１Ｂと対向配置されている。なお、保持部材３３は、例えば弾力性を有する樹脂部材（例えばＥＰＤＭ（エチレンプロピレンジエンゴム）やＥＰＭ（エチレンプロピレンゴム）等）とされるが、材質はこれに限定されない。
【００２０】
カーテシランプ４０（照明装置）は、トリム本体部２１において下部且つ車両後方寄りの箇所に設けられており、図４に示すように、ＬＥＤ等の光源４１と、光源４１が取り付けられるハウジング４２と、を備える。ハウジング４２は透明部材によって構成されており、その一部は、トリム本体部２１に形成された開口２７を覆うカバー部４３（ランプカバー）とされる。つまり、カバー部４３は透光性を有する。光源４１は、トリム本体部２１の車室外側に配されており、カバー部４３は、光源４１の光出射面４１Ａと対向配置されている。
【００２１】
光ファイバー２４は、トリム本体部２１の車室外側に配された長手状の導光部材であり、長手方向における一方の端面２４Ａ（一端部）から入射した赤外線を内部で導光し、他方の端面２４Ｂ（他端部、図５参照）から赤外線受光部６１Ｂに向けて出射することが可能となっている。図４に示すように、一方の端面２４Ａは、カバー部４３と対向配置されている。赤外線リモコンから出射された赤外線は、透光性を有するカバー部４３を通じて、一方の端面２４Ａに入射する。つまり、カバー部４３は、トリム本体部２１に設けられ、トリム本体部２１の車室外側と車室内側との間で光を透過する光透過部の一例である。光ファイバー２４の一端部は、例えば、テープ４５によってハウジング４２に対して固定されている。また、図５に示すように、光ファイバー２４の長手方向における他方の端面２４Ｂは、赤外線受光部６１Ｂと対向配置されている。
【００２２】
光ファイバー２５は、図１の破線で示すように、トリム本体部２１の車室外側に配された長手状の導光部材であり、長手方向における一方の端面（一端部、図示せず）から入射した赤外線を内部で導光し、他方の端面２５Ｂ（他端部、図５参照）から赤外線受光部６１Ｂに向けて出射することが可能となっている。光ファイバー２５の一方の端面は、イルミネーションランプ５０（照明装置）において透光性を有するカバー部５１と対向配置されており、光ファイバー２５の長手方向における他方の端面２５Ｂは、図５に示すように、赤外線受光部６１Ｂと対向配置されている。なお、イルミネーションランプ５０は、トリム本体部２１の車室外側に配された光源（図示せず）と、カバー部５１とを備え、光源からの出射光は、カバー部５１を通じて、車室内側に出射される構成となっている。
【００２３】
次に本実施形態の効果について説明する。本実施形態では、乗員が赤外線リモコンから光透過部（貫通孔３１Ａ、カバー部４３、カバー部５１のいずれか）に向けて赤外線を出射した場合、赤外線リモコンから出射された赤外線は、光透過部を経て、光ファイバーの一方の端面から光ファイバー内部に入射し、光ファイバー内部で導光された後、他方の端面から赤外線受光部６１Ｂに向けて出射される。これにより、トリム本体部２１の乗物室外側に配されたプロジェクタ６１を赤外線リモコンによって車室内側から確実に操作することが可能となる。なお、本実施形態では、複数の光透過部（貫通孔３１Ａ、カバー部４３、カバー部５１）を備えており、いずれかの光透過部に赤外線が届くことで、プロジェクタ６１を操作することができる。このため、より一層確実に赤外線リモコンによってプロジェクタ６１を確実に操作することが可能となる。なお、ドアトリム２０が複数の光透過部（貫通孔３１Ａ、カバー部４３、カバー部５１）のうちいずれか１つ（又は２つ）のみを備えていてもよい。
【００２４】
また、トリム本体部２１に取り付けられたスピーカーグリル３０を備え、光透過部は、スピーカーグリル３０が有する貫通孔３１Ａである。スピーカーグリル３０が有する貫通孔３１Ａを光透過部とすれば、専用の光透過部を設ける必要がなく、好適である。つまり、貫通孔３１Ａを光透過部とすれば、赤外線を透過させるためにトリム本体部２１に他の貫通孔を形成する必要がない。
【００２５】
また、トリム本体部２１の車室外側に配された光源４１を備え、光透過部は、光源４１の光出射面４１Ａと対向配置されるカバー部４３である。光源４１から出射された光をカバー部４３を介して車室内に出射させることができる。このようなカバー部４３を光透過部とすれば、専用の光透過部を設ける必要がなく好適である。なお、カバー部４３に、車室内側からの赤外線を集光して光ファイバー２４の端面２４Ａに向かわせる集光レンズの機能を付与してもよい。このようにすれば、より広い範囲からの赤外線を端面２４Ａに入射させることができる。
【００２６】
仮に、赤外線受光部６１Ｂとプロジェクタ６１の制御基板とを配線で電気的に接続し、赤外線受光部６１Ｂを光透過部（例えば貫通孔３１Ａ）と対向配置すれば、赤外線リモコンによってプロジェクタ６１を操作することは可能である。しかしながら、このような構成では、赤外線受光部６１Ｂをプロジェクタ６１の制御基板から取り外す必要が生じる。つまり、プロジェクタ６１の構成を変更する必要が生じる。これに対して本実施形態では、光ファイバーを用いて赤外線受光部６１Ｂまで赤外線を導光する構成であるため、プロジェクタ６１の構成を変更する必要がなく、好適である。また、光ファイバーは、光透過部を通じて車室内側から視認され難く、この点においても好適である。
【００２７】
＜他の実施形態＞
本発明は上記記述及び図面によって説明した実施形態に限定されるものではなく、例えば次のような実施形態も本発明の技術的範囲に含まれる。
（１）上記実施形態では、乗物用内装材としてドアトリムを例示したが、これに限定されない。例えば、乗物用内装材として、ルーフトリム等を挙げることができる。また、光透過部は、上記実施形態で例示したものに限定されず、例えば、ルームランプが備える透光性のランプカバー等を挙げることができる。
（２）上記実施形態では、電子機器としてプロジェクタを例示したが、これに限定されない。電子機器は、赤外線受光部を備えることで赤外線によって操作することが可能なものであればよく、乗物用内装材に設けられた車載用のモニタ等を例示することができる。
（３）上記実施形態では、乗物用内装材として車両用内装材を例示したが、これに限定されない。乗物用内装材は、車両以外の乗物（例えば航空機や船舶等）に用いられる内装材であってもよい。
（４）上記実施形態では、導光部材として光ファイバーを例示したが、これに限定されず、光ファイバー以外の導光部材を用いてもよい。
【符号の説明】
【００２８】
２０…ドアトリム（乗物用内装材）、２１…トリム本体部（内装材本体部）、２３，２４，２５…光ファイバー（導光部材）、２３Ａ，２４Ａ…一方の端面（導光部材の長手方向における一端部）、２３Ｂ，２４Ｂ，２５Ｂ…他方の端面（導光部材の長手方向における他端部）、３１Ａ…貫通孔（光透過部）、３０…スピーカーグリル、４１…光源、４１Ａ…光源の光出射面、４３，５１…カバー部（透明部材、光透過部）、６１…プロジェクタ（電子機器）、６１Ｂ…赤外線受光部
【図１】
2020082938.tif 000003
【図２】
2020082938.tif 000004
【図３】
2020082938.tif 000005
【図４】
2020082938.tif 000006
【図５】
2020082938.tif 000007